(57)【要約】【課題】製造コストの高騰を抑えた上で、被封入用紙の封筒本体への誤封入を確実に防止することができるようにする。【解決手段】台紙２０と、被覆紙３０とが積層された状態で互いに重なり合わされている部分の一部によって形成された、封筒８０を形成するための封筒形成部４０と、該封筒形成部４０以外の部分によって形成された付属部５０とを備えて構成され、付属部５０は、便箋９０を形成するための便箋形成部６０と、該便箋形成部６０および封筒形成部４０間に介設された余白部７０とからなっている。【選択図】  図２
2004155489.tif 000002
【特許請求の範囲】
【請求項１】
第１紙と、第２紙とが積層された状態で互いに重なり合わされている部分の少なくとも一部によって形成された、封筒を形成するための封筒形成部と、該封筒形成部以外の少なくとも一部によって形成された、被封入用紙を形成するための被封入用紙形成部とからなっていることを特徴とする封筒用紙。
【請求項２】
前記封筒形成部は、周縁部にその一部を除いて第１紙と第２紙とが糊付けされることによって形成された周縁糊付け部と、前記周縁部の一部に形成された、前記封筒形成部内へ被封入用紙を挿入するための開口部と、該開口部の近傍で折り返すことにより開口部からの被封入用紙の抜け出しを防止する封止舌片とを備えてなる請求項１記載の封筒用紙。
【請求項３】
前記封止舌片は、前記開口部の縁部で折り返されることにより開口部を全体的に封止し得るように寸法設定されていることを特徴とする請求項２記載の封筒用紙。
【請求項４】
前記第１紙および第２紙は、それぞれ略同一の平面形状に設定され、且つ互いにずれないように重ね合わされてなる請求項１乃至３のいずれかに記載の封筒用紙。
【請求項５】
前記封筒形成部と、前記被封入用紙形成部との間の境界位置に、切断線が形成されてなる請求項１乃至４のいずれかに記載の封筒用紙。
【請求項６】
前記封筒形成部は、定形封筒の大きさに寸法設定されているとともに、封筒形成部と被封入用紙形成部とを合わせた全体は、枚葉紙の所定の規格寸法に設定されてなる請求項１乃至５のいずれかに記載の封筒用紙。
【請求項７】
矩形状を呈し且つ同一寸法の台紙および被覆紙が互いにずれないように積層された状態で短尺側の一方の側部に矩形状を呈した、封筒を形成するための封筒形成部が形成されるとともに、該封筒形成部以外の部分に付属部が形成され、該付属部は、矩形状を呈し且つ前記封筒形成部に隣接した余白部と、該余白部に隣接した便箋形成部とを備え、該便箋形成部は、前記被覆紙によって形成された便箋部を有し、該便箋部は、剥離紙の短尺側の縁部と平行な長さ寸法が、前記封筒形成部の矩形状を呈した内部空間の長尺側の長さ寸法より短く寸法設定されていることを特徴とする封筒用紙。
【発明の詳細な説明】
【０００１】
【発明の属する技術分野】
本発明は、封筒本体と当該封筒本体に封入される便箋等の被封入用紙との対応関係を確実に確保し得る封筒用紙に関するものである。
【０００２】
【従来の技術】
従来、図５に示すような封筒１００が周知である。この封筒１００は、図５の（イ）に示すように、所定の用紙を扁平な筒状に折り畳んだ上で重なり合った両側縁部を互いに糊付けして形成された封筒本体１０１と、この封筒本体１０１の底部側の縁部から外方へ向けて突設され、折り返して糊付けすることにより封筒本体１０１の底部を封止する底部舌片１０２と、封筒本体１０１の開口１０４側の縁部から外方へ向けて突設された封緘用舌片１０３とからなっている。
【０００３】
かかる封筒１００に、通常折り畳んだ状態の便箋等の被封入用紙１１０が開口１０４を介して封入された状態で、封緘用舌片１０３が封筒本体１０１へ向けて折り返され、糊付けされることによって、図５の（ロ）に示すように、被封入用紙１１０が封筒１００に装填された状態になる。
【０００４】
【発明が解決しようとする課題】
ところで、上記のような封筒１００の宛名書きと、被封入用紙１１０への宛名書きとは別々に行われるため、多数の被封入用紙１１０を対応した封筒１００に封入するに際しては、一々両者の対応が正しいか否かを確認しながら行わなければならず、非常に面倒で作業性が劣るばかりか、対応しない誤封入が生じ易いという問題点が存在した。
【０００５】
なお、宛名書きが手書きの場合、封筒１００への宛名書きと、被封入用紙１１０への記入とを交互に行うようにすれば、両者への手書きが完了した都度被封入用紙１１０を封筒１００へ挿入することで前記のような誤封入の発生を防止することができるが、近年、封筒１００への宛名書き、および被封入用紙１１０への所定の情報の記載を、コンピュータに接続されたプリンターによって別々に自動的に行うのが普通になっているため、前記のような誤封入が解消されるということはない。
【０００６】
このような問題が発生し易い被封入用紙１１０としては、給与明細票、請求書、見積書、受験票、合格通知書、成績票などを例示することができるが、その他挙げれば枚挙にいとまがない。
【０００７】
ところで、このような問題を解消するものとして、封筒に覗き窓を設けるとともに、被封入用紙側の前記覗き窓に対応した位置に宛名を記入するようにしたものが提案され、すでに各所で実用に供されている。かかる覗き窓付きの封筒によれば、封筒側に宛名書きを行う必要がないため、前記のような誤封入の生じることはないが、このような封筒の場合、まず封筒本体に除き窓を穿設する必要があるばかりか、穿設された覗き窓を透明なシートで塞ぐ必要があり、これらによって封筒の製造コストが嵩んでしまうという新たな不都合が発生する。
【０００８】
本発明は、上記のような状況に鑑みなされたものであり、製造コストの高騰を抑えた上で、被封入用紙の封筒本体への誤封入を確実に防止することができる封筒用紙を提供することを目的としている。
【０００９】
【課題を解決するための手段】
請求項１記載の発明は、第１紙と、第２紙とが積層された状態で互いに重なり合わされている部分の少なくとも一部によって形成された、封筒を形成するための封筒形成部と、該封筒形成部以外の部分によって形成された、被封入用紙を形成するための被封入用紙形成部とからなっていることを特徴とするものである。
【００１０】
この発明によれば、第１紙と第２紙とが積層されてなる封筒用紙において、封筒形成部から被封入用紙形成部を切り離すことにより、封筒形成部であった部分によって封筒が形成されるとともに、被封入用紙形成部であった部分から封筒に封入されるべき被封入用紙を得ることができる。
【００１１】
このように、封筒用紙は、封筒になる部分（すなわち封筒形成部）と被封入用紙になる部分（すなわち被封入用紙形成部）とが一体的に形成されているため、封筒用紙の段階で封筒形成部に宛名書き等を行うとともに、被封入用紙形成部の被封入用紙の部分に所定の内容を記載することにより、宛名書き等と、被封入用紙の記載内容とが確実に対応した状態になる。
【００１２】
従って、封筒形成部から被封入用紙形成部を分離した時点で、被封入用紙を封筒内に封入することにより、封入された被封入用紙の記載内容と封筒の宛名書き等とを確実に一致させることができるため、従来の封筒と被封入用紙とを別々に用意し、被封入用紙の記載内容と封筒の宛名書き等との対応を一々チェックしながら被封入用紙を封筒に封入していく場合に比較し、チェックが不要な分作業効率が向上するとともに、従来往々にして起っていた、被封入用紙の記載内容と、封筒の宛名書き等とが一致しない、いわゆる入れ誤りが確実に防止される。
【００１３】
請求項２記載の発明は、請求項１記載の発明において、前記封筒形成部は、周縁部にその一部を除いて第１紙と第２紙とが糊付けされることによって形成された周縁糊付け部と、前記周縁部の一部に形成された、前記封筒形成部内へ被封入用紙を挿入するための開口部と、該開口部の近傍で折り返すことにより開口部からの被封入用紙の抜け出しを防止する封止舌片とを備えてなることを特徴とするものである。
【００１４】
この発明によれば、第１紙と第２紙とを互いに重ね合せてこれらの周縁部を、一部を除いて糊付けすることにより、周縁糊付け部と開口部とを備えた封筒形成部が形成されるとともに、開口部の近傍には封止舌片が形成される。そして、被封入用紙を開口部から封筒内に挿入した状態で、封止舌片を折り返して開口部を塞ぎ、必要に応じて当該封止舌片を封筒に糊付けしたり、粘着テープで止める等の処置を行うことにより、被封入用紙の封筒内からの抜け出しを有効に防止することができる。
【００１５】
請求項３記載の発明は、請求項２記載の発明において、前記封止舌片は、前記開口部の縁部で折り返されることにより開口部を全体的に封止し得るように寸法設定されていることを特徴とするものである。
【００１６】
この発明によれば、封止舌片によって封筒の開口部を全体的に封止することにより、封筒内を密封することができる。
【００１７】
請求項４記載の発明は、請求項１乃至３のいずれかに記載の発明において、前記第１紙および第２紙は、それぞれ略同一の平面形状に設定され、且つ互いにずれないように重ね合わされてなることを特徴とするものである。
【００１８】
この発明によれば、封筒用紙は全体的に同一厚み寸法になるため、封筒用紙に印刷処理を施すに際し、例えばローラー対間を通して行われる封筒用紙の印刷処理部への移送が適正に行われ、これによって封筒用紙への印刷処理が確実に行われる。
【００１９】
請求項５記載の発明は、請求項１乃至４のいずれかに記載の発明において、前記封筒形成部と、前記被封入用紙形成部との間の境界位置に、切断線が形成されてなることを特徴とするものである。
【００２０】
この発明によれば、封筒用紙を切断線に沿って切断することにより切断用の治具を用いることなく当該封筒用紙を容易に切断することができるため、封筒用紙からの封筒および被封入用紙の形成が簡便になる。
【００２１】
請求項６記載の発明は、請求項１乃至５のいずれかに記載の発明において、前記封筒形成部は、定形封筒の大きさに寸法設定されているとともに、封筒形成部と被封入用紙形成部とを合わせた全体の寸法は、枚葉紙の所定の規格寸法に設定されてなることを特徴とするものである。
【００２２】
この発明によれば、封筒用紙は所定の規格寸法に設定されているため、当該封筒用紙を通常の印刷機での印刷処理に供することができるとともに、封筒用紙を分断することによって得られた封筒は、定形郵便物として郵送し得るものになり、封筒用紙は、各種の処理に対する容易性が確保されるとともに、汎用性が向上する。
【００２３】
請求項７記載の発明は、矩形状を呈し且つ同一寸法の台紙および被覆紙が互いにずれないように積層された状態で短尺側の一方の側部に矩形状を呈した、封筒を形成するための封筒形成部が形成されるとともに、該封筒形成部以外の部分に付属部が形成され、該付属部は、矩形状を呈し且つ前記封筒形成部に隣接した余白部と、該余白部に隣接した便箋形成部とを備え、該便箋形成部は、前記被覆紙の一部によりなる、便箋を形成するための便箋部を有し、該便箋部は、剥離紙の短尺側の縁部と平行な長さ寸法が、前記封筒形成部の矩形状を呈した内部空間の長尺側の長さ寸法より短く寸法設定されていることを特徴とするものである。
【００２４】
この発明によれば、封筒形成部を付属部から切り離すことによって封筒を形成することができるとともに、付属部の便箋形成部に形成された便箋部から便箋を得ることができる。
【００２５】
そして、便箋部は、剥離紙の短尺側の縁部と平行な長さ寸法が、前記封筒形成部の矩形状を呈した内部空間の長尺側の長さ寸法より短く寸法設定されているため、前記便箋部から得られた便箋を必要に応じて前記長さ寸法が確保される状態で折り畳むなどして封筒の便箋収納空間に挿入しても、便箋が封筒から外部に突出するような不都合は生じない。
【００２６】
また、被封入用紙は、第１紙および第２紙のいずれか一方の一部が他方から引き剥がされることにより１枚物になるため、２枚が重なり合った状態で分厚くなることによる不体裁が解消する。また、被封入用紙は、被封入用紙形成部から引き剥がされた後に、少なくとも二つ折りされることによってはみ出すことなく封筒内に装填されるため、被封入用紙に多くの情報を記載し得るようにした上で、被封入用紙の封筒内への封入作業を効率的に行うことができる。
【００２７】
【発明の実施の形態】
図１は、本発明に係る封筒用紙の一実施形態を示す分解斜視図であり、図２は、その組立て斜視図である。これらの図に示すように、封筒用紙１０は、台紙（第１紙）２０と、この台紙２０に積層される被覆紙（第２紙）３０とを備えた基本構成を有している。本実施形態においては、台紙２０および被覆紙３０とは、いずれも矩形状で且つ同一の大きさに寸法設定されている。さらに具体的には、台紙２０および被覆紙３０は、日本工業規格のＡ４版の大きさに寸法設定されている。
【００２８】
台紙２０は、本実施形態においては、長手方向の一側部側（図１における一点鎖線より右側）に形成された台紙側封筒形成部２１と、この台紙側封筒形成部２１に一体に連設された長手方向の他側部側（図１における二点鎖線より左側）の台紙側付属部２２とを備えた基本構成を有している。
【００２９】
台紙側付属部２２は、後述の被覆紙側便箋形成部３３に対応した台紙側便箋形成部２３と、この台紙側便箋形成部２３と前記台紙側封筒形成部２１との間に介設された、後述の被覆紙側余白部３４に対応する台紙側余白部２４とを備えて構成されている。
【００３０】
前記台紙側封筒形成部２１の三方の縁部（台紙側封筒形成部２１の長手方向に延びる一対の縁部と、短手方向の一方の縁部）には剥すのが困難な程に粘着力の強い粘着剤（以下強粘着剤という）の塗布された強粘着剤層２５が形成されている一方、残りの縁部には剥すのが容易な粘着力の弱い粘着剤（以下弱粘着剤という）の塗布された弱粘着剤層２６が形成されている。
【００３１】
前記台紙側便箋形成部２３の４つの縁部には、所定幅寸法で強粘結剤が塗布されてなる強粘着剤層２８が形成されている。また、台紙側余白部２４にも、その全面に亘って強粘着剤が塗布されることにより形成した強粘結剤層２７が形成されている。これらの強粘着剤層２５，２７，２８および前記弱粘着剤層２６は、いずれも被覆紙３０に対する対向面に形成されている。
【００３２】
前記被覆紙３０は、前記台紙側封筒形成部２１に対応して同一寸法に設定された被覆紙側封筒形成部３１（図１における一点鎖線より右側）と、前記台紙側付属部２２に対応して設けられた剥離紙側付属部３２とを備えた基本構成を有している。剥離紙側付属部３２は、前記台紙側便箋形成部２３（図１における二点鎖線より左側）に対応して同一寸法に設定された被覆紙側便箋形成部３３と、これら台紙側封筒形成部２１および台紙側便箋形成部２３間に介設された、前記台紙側余白部２４に対応する被覆紙側余白部３４とを備えている。
【００３３】
被覆紙側封筒形成部３１の表面側の一部には、宛先その他の情報を記載するための宛先等記載部３１ａが設定されているとともに、該宛先等記載部３１ａを除く部分に宛先等非記載部３１ｂが設定されている。本実施形態においては、宛先等記載部３１ａは白紙状態とされ、この部分に宛名等を印字し得るようになっているとともに、宛先等非記載部３１ｂにはその全面に亘って予め所定の模様が印刷されている。
【００３４】
かかる被覆紙側封筒形成部３１には、短手方向に延びる一方の縁部に前記台紙側封筒形成部２１の弱粘着剤層２６に対応するように形成された切取片３５が形成されている。この切取片３５の基端側には、ミシン目や厚み寸法の半分だけを裁断したいわゆる半裁線等からなる切取線３５ａが設けられているとともに、被覆紙側余白部３４側の端縁部が斜めに切断されることによって形成した摘み部３５ｂが形成されている。
【００３５】
前記被覆紙側便箋形成部３３は、前記台紙側便箋形成部２３の強粘着剤層２８に対応した額縁部３６と、この額縁部３６に囲繞された便箋部３７とからなっている。額縁部３６と便箋部３７との境界位置には、ミシン目や半裁線等からなる切断線３３ａが形成されている。また、便箋部３７には、一角部が斜めに切断されることによって形成した摘み部３７ａが設けられている。
【００３６】
前記便箋部３７は、所定の情報を記載する部分であり、記載については筆記であってもよいし、印字であってもよい。また、便箋部３７への記載内容については特に限定はない。因みに、本実施形態においては、便箋部３７に給与の明細書の内容が印字されるようにしている。
【００３７】
かかる便箋部３７は、本実施形態においては、長さ寸法（図１に示す一点鎖線と平行な側の寸法）が後述の封筒形成部４０内に形成された矩形状を呈する便箋収納空間の長さ寸法より若干短めに寸法設定されているとともに、幅寸法が前記便箋収納空間の幅寸法の２倍より若干短めに設定され、これによって幅方向へ向けて二つ折りした状態で、前記便箋収納空間に収まるように（すなわち台紙２０の台紙側封筒形成部２１における強粘着剤層２５および弱粘着剤層２６に囲繞された空間に納まるように）なされている。
【００３８】
前記被覆紙側余白部３４は、前記被覆紙側封筒形成部３１および被覆紙側便箋形成部３３の寸法設定の調整用に用いられる部分であり、前記台紙２０の台紙側余白部２４は、この被覆紙側余白部３４に対応して設けられている。
【００３９】
そして、本実施形態に係る封筒用紙１０は、図２に示すように、被覆紙３０および台紙２０の各縁部が互いに揃うように被覆紙３０の裏面側が台紙２０の表面側に重ね合わされ、強粘着剤層２５，２６，２７および弱粘着剤層２６を介して両者が互いに粘着（糊付け）されることによって形成されている。
【００４０】
このようにして形成された封筒用紙１０は、前記台紙側封筒形成部２１と被覆紙側封筒形成部３１とが互いに重ね合わされて接合されることにより形成した封筒形成部４０と、前記台紙２０の台紙側付属部２２と前記被覆紙３０の剥離紙側付属部３２とが互いに重ね合わされることによって形成した付属部５０とを備えた基本構成を有している。
【００４１】
そして、前記付属部５０は、台紙２０の台紙側便箋形成部２３と被覆紙側便箋形成部３３とが互いに重ね合わされて接合されることにより形成した便箋形成部（被封入用紙形成部）６０と、台紙側余白部２４と被覆紙側余白部３４とが互いに重ね合わされて接合されることにより形成した余白部７０とを備えて構成されている。
【００４２】
封筒形成部４０には、台紙２０の台紙側封筒形成部２１の強粘着剤層２５が被覆紙３０の被覆紙側封筒形成部３１に粘着することによって形成された周縁糊付け部４３が設けられ、この周縁糊付け部４３の存在で封筒形成部４０は袋状になっている。
【００４３】
そして、本実施形態においては、封筒形成部４０、便箋形成部６０および余白部７０からなる封筒用紙１０が形成された状態で、当該封筒用紙１０における封筒形成部４０と余白部７０との境界位置、および便箋形成部６０と余白部７０との境界位置にミシン目等からなる第１切断線１１および第２切断線１２がそれぞれ設けられている。
【００４４】
また、封筒形成部４０には、切取片３５と対向した縁部に第３切断線１３が設けられている。この第３切断線１３は、台紙側封筒形成部２１の同縁部に形成された強粘着剤層２５より若干内側位置に当該強粘着剤層２５と平行に設けられている。従って、後述の封筒８０（図３）が形成された状態で、当該封筒８０を第３切断線１３に沿って切断することにより、封筒８０内に封入されている便箋（被封入用紙）９０を取り出すことができる。
【００４５】
以下、図３および図４を基に、本発明の作用について説明する。図３は、本発明の作用を説明するための説明図であり、図３の（イ）は、宛先等記載部３１ａおよび便箋部３７に所定の印字が施された状態、図３の（ロ）は、封筒形成部４０が第１切断線１１から切断された状態、図３の（ハ）は、便箋形成部６０から剥された便箋９０が二つ折りにされた状態をそれぞれ示している。
【００４６】
また、図４の（イ）は、形成された封筒８０に開口部４２を介して便箋９０が挿入されつつある状態、図４の（ロ）は、便箋９０の挿入された封筒８０の開口部４２が封止舌片４１により封止された状態をそれぞれ示している。
【００４７】
まず、図３の（イ）に示す状態では、封筒形成部４０の宛先等記載部３１ａに所定の宛名等が印字されているとともに、便箋形成部６０の便箋部３７に所定の文字や数字等が印字された状態になっている。この状態で、封筒形成部４０を余白部７０から第１切断線１１を介して切断することにより、封筒形成部４０は、図３の（ロ）に示すように、余白部７０から分離された状態になる。
【００４８】
ついで、図３の（ハ）の右側に二点鎖線で示すように、切取片３５を切取線３５ａに沿って切断紙しながら台紙側封筒形成部２１の弱粘着剤層２６からめくり取っていくことにより、台紙側封筒形成部２１の弱粘着剤層２６が形成された部分に封止舌片４１が形成されとともに、台紙側封筒形成部２１と被覆紙側封筒形成部３１との間に開口部４２（図４の（イ））が形成されていき、切取片３５が完全に取り除かれた状態で封筒８０が得られる。
【００４９】
また、図３の（ハ）の左側に示すように、余白部７０を介して封筒８０から分離された便箋形成部６０において、摘み部３７ａが存在する部分の便箋形成部６０を上方に向けて凸となるように反らせることにより、当該摘み部３７ａが台紙側便箋形成部２３から浮き上がった状態になるため、この浮き上がった摘み部３７ａを指で摘んで引き剥がすことにより、便箋部３７が被覆紙側便箋形成部３３から切断線３３ａを介して切断されていく。
【００５０】
そして、便箋部３７が便箋形成部６０からめくり取られて便箋９０が得られた状態で、当該便箋９０は幅方向に二つ折りされ、これによって封筒８０内に封入し得るサイズとされる。
【００５１】
そして、上記のようにして形成された封筒８０は、台紙２０の台紙側封筒形成部２１と被覆紙３０の被覆紙側封筒形成部３１とが強粘着剤層２５を介して互いに強固に粘着されているため、台紙側封筒形成部２１と被覆紙側封筒形成部３１とが互いに剥がれて封筒８０が用をなさなくなるような不都合が確実に防止される。
【００５２】
また、かかる封筒８０は、図４の（イ）に示すように、短尺側の一方の縁部に開口部４２が形成されているとともに、開口部４２には台紙側封筒形成部２１の短尺側の一方の縁部によって形成された、図４の（イ）における上面側に弱粘着剤層２６を有する封止舌片４１が設けられた状態になっている。
【００５３】
従って、前記二つ折り状態の便箋９０を開口部４２から封筒８０内に挿入し、便箋９０が完全に封筒８０内に挿入された状態で封止舌片４１を被覆紙側封筒形成部３１へ向けて折り返して押圧することにより、封止舌片４１が弱粘着剤層２６を介して被覆紙側封筒形成部３１に密着し、これによって、図４の（ロ）に示すように、便箋９０が封筒８０に封入された状態になる。
【００５４】
一旦封筒８０に封入された便箋９０を当該封筒８０から取り出すに際しては、一々封止舌片４１を被覆紙側封筒形成部３１から引き剥すような面倒な操作を行うことなく、封筒８０を第３切断線１３に沿って切断すればよく、封筒８０の開封操作が容易である。
【００５５】
本実施形態に係る封筒用紙１０は、以上詳述したように、台紙２０と、被覆紙３０とが積層された状態で互いに重なり合わされている部分の少なくとも一部によって形成された、封筒８０を形成するための封筒形成部４０と、残部（封筒形成部４０以外の部分）である付属部５０とを備え、さらに付属部５０は、便箋９０を形成するための便箋形成部６０と、余白部７０とを備えて構成されている。
【００５６】
従って、付属部５０から封筒形成部４０を切り離すことにより、封筒形成部４０であった部分によって封筒８０が形成されるとともに、便箋形成部６０であった部分から封筒８０に封入されるべき便箋９０を得ることができる。
【００５７】
このように、封筒用紙１０は、封筒８０になる部分（すなわち封筒形成部４０）と便箋９０になる部分（すなわち便箋形成部６０）とが余白部７０を介して一体的に形成されているため、封筒用紙１０の段階で封筒形成部４０に宛名書き等を行うとともに、便箋形成部６０の便箋９０の部分に所定の内容を記載することにより、封筒８０への宛名書き等と、便箋９０の記載内容とを確実に対応した状態にすることができる。
【００５８】
なお、前記余白部７０については、当該余白部７０を各種のコメントを記入するための備考欄として使用することができるため、封筒用紙１０が非常に利用し易いものになる。
【００５９】
従って、封筒形成部４０から便箋形成部６０を分離した時点で、便箋９０を封筒８０内に封入することにより、封入された便箋９０の記載内容と封筒８０の宛名書き等とを確実に一致させることができるため、従来の封筒８０と便箋９０とを別々に用意し、便箋９０の記載内容と封筒８０の宛名書き等との対応を一々チェックしながら便箋９０を封筒８０に封入していく場合に比較し、チェックが不要な分作業効率が向上するとともに、便箋９０の記載内容と、封筒８０の宛名書き等とが一致しない、いわゆる入れ誤りを確実に防止することができる。
【００６０】
また、封筒形成部４０は、周縁部にその一部を除いて台紙２０と被覆紙３０とが強粘着剤層２５を介して粘着されることによって形成した周縁糊付け部４３と、前記周縁部の一部に形成された、前記封筒形成部４０内へ便箋９０を挿入するための開口部４２と、該開口部４２の近傍で折り返すことにより開口部４２からの便箋９０の抜け出しを防止する封止舌片４１とを備えているため、台紙２０と被覆紙３０とを互いに重ね合せてこれらの周縁部を、押圧することにより、周縁糊付け部４３と開口部４２とを備えた封筒形成部４０が形成されるとともに、開口部４２の臨んで封止舌片４１が形成される。そして、便箋９０を開口部４２から封筒８０内に挿入した状態で、封止舌片４１を折り返して開口部４２を塞ぎ、押圧することにより、封止舌片４１が弱粘着剤層２６介して被覆紙側封筒形成部３１に粘着し、これによって封筒８０内を密封状態にすることができる。
【００６１】
また、台紙２０および被覆紙３０は、それぞれ同一の平面形状に設定され、且つ互いにずれないように重ね合わされているため、封筒用紙１０は全体的に同一厚み寸法になる。従って、封筒用紙１０に印刷処理を施すような場合には、例えばローラー対間を通して行われる封筒用紙１０の印刷処理部への移送が適正に行われるため、封筒用紙１０への印刷処理を確実に行うことができる。
【００６２】
特に近年、画像処理装置やコンピュータ等に接続される印刷装置の一種であるレーザープリンターが、印刷速度や印刷画像の鮮明さ並びに操作の容易性の面で脚光を浴び、現在では各所で相当広く普及しているが、本発明の封筒用紙１０は、このようなレーザープリンターへの適用が好適である。
【００６３】
また、便箋形成部６０から剥されることによって形成される便箋９０は、二つ折り状態で封筒８０内に装填され得るように寸法設定されているため、当該二つ折り状態の便箋９０をそのまま封筒８０内に挿入しても、当該便箋９０が封筒８０からはみ出すような不都合は生じず、便箋９０の封筒８０内への封入作業を効率的に行う上で好都合である。
【００６４】
また、封筒用紙１０において、封筒形成部４０と、余白部７０との間の境界位置に、第１切断線１１が形成されているため、封筒用紙１０を第１切断線１１に沿って切断することにより挟み等の切断用の治具を用いることなく当該封筒用紙１０を容易に切断することができ、封筒用紙１０から封筒８０および便箋９０を簡便に得ることができる。
【００６５】
また、被覆紙３０の被覆紙側便箋形成部３３において、切断線３３ａによって囲繞された便箋部３７には、その一角部が斜めに切り欠かれることによって形成した摘み部３７ａが形成されているため、被覆紙３０が台紙２０に積層されて封筒用紙１０が形成された状態で、当該摘み部３７ａを手掛かりにして便箋部３７を被覆紙側便箋形成部３３から容易に剥すことが可能になり、便箋形成部６０から便箋９０を得るための作業性が向上する。
【００６６】
このことについては、被覆紙側封筒形成部３１の切取片３５についても同様であり、切取片３５の角部にも斜めに切り欠かれることによって形成した摘み部３５ｂが設けられているため、当該摘み部３５ｂの存在で切取片３５の台紙側封筒形成部２１からの剥し取り操作が容易になる。
【００６７】
そして、本実施形態において、封筒形成部４０を定形封筒の大きさに寸法設定するとともに、封筒用紙１０を枚葉紙の所定の規格寸法に設定すれば、封筒用紙１０を通常の印刷機での印刷処理に供することができるとともに、封筒用紙１０を分断することによって得られた封筒８０は、定形郵便物として郵送し得るものになり、封筒用紙１０に対して汎用性を付与することができる。
【００６８】
本発明は、上記の実施形態に限定されるものではなく、以下の内容をも包含するものである。
【００６９】
（１）上記の実施形態においては、封筒用紙１０は、同一の大きさを呈した台紙２０と被覆紙３０とが互いにずれないように重ね合わされることによって形成されているが、本発明は、台紙２０および被覆紙３０が同じ大きさであることに限定されるものではなく、異なった大きさのものを重ね合わせることによって封筒用紙を形成してもよい。この場合、実質的に互いに重なり合っている、いわゆる重複部分によって封筒形成部を構成する一方、重複していない部分によって被封入用紙形成部を構成するようにすればよい。
【００７０】
また、台紙２０と被覆紙３０とが同一の大きさであっても、互いにずらせたり、あるいは両者の向きを変えるようにして重ね合わせてもよい。この場合も重複部分によって封筒形成部が形成される一方、重複していない部分によって被封入用紙形成部が構成される。
【００７１】
（２）上記の実施形態においては、封筒形成部４０、便箋形成部６０、余白部７０、並びに台紙２０および被覆紙３０が積層されることによって形成される封筒用紙１０の全てが矩形状に形状設定されているが、本発明は、これらが全て矩形状であることに限定されるものではなく、例えば、少なくとも封筒形成部４０を円形や楕円形にしたり多角形にするなど、矩形以外の異形にすれば、得られた封筒が興趣に富んだものになり、クリスマスカードやクリスマスパーティの招待状用などの特殊な用途で雰囲気を盛り上げることができる。
【００７２】
（３）上記の実施形態においては、被覆紙３０の被覆紙側便箋形成部３３に切断線３３ａで囲繞された便箋部３７が形成され、封筒用紙１０が仕上った状態で当該封筒用紙１０の便箋形成部６０から切断線３３ａに沿って便箋部３７を引き剥がすことにより便箋９０を得るようにしているが、本発明は、便箋形成部６０の一部によって便箋９０を形成させることに限定されるものではなく、封筒形成部４０から分離された便箋形成部６０そのものを便箋として使用してもよい。
【００７３】
（４）上記の実施形態においては、台紙２０の台紙側封筒形成部２１における短尺側の一方の縁部（すなわち封筒８０における封止舌片４１が形成される部分）に弱粘着剤層２６を形成するとともに、被覆紙３０の被覆紙側封筒形成部３１における前記弱粘着剤層２６に対応した部分に切断線３５ａを介して切取片３５が設けられているが、こうする代わりに、台紙側封筒形成部２１の前記縁部に弱粘着剤層２６に代えて他の部分と同様の強粘着剤層を形成する一方、前記切取片３５に代えて当該切取片３５と同一形状の剥離紙を採用するようにしてもよい。
【００７４】
こうすることによって、封止舌片４１の粘着剤層の粘着力を強力なものになり、封止舌片４１の開口部４２を粘着封止する封止効果が向上するとともに、剥離紙の封止舌片４１からの取り外しも容易に行うことができる。
【００７５】
（５）上記の実施形態においては、封筒用紙１０の封筒形成部４０と便箋用紙形成部６０との間に余白部７０が介設されているが、本発明（請求項１〜６記載の発明）においては余白部７０の存在は必須ではなく、特に設けなくてもよい。
【００７６】
【発明の効果】
本発明の封筒用紙は、以上詳述したように、第１紙と、第２紙とが積層された状態で互いに重なり合わされている部分の少なくとも一部によって形成された、封筒を形成するための封筒形成部と、該封筒形成部以外の少なくとも一部によって形成された、被封入用紙を形成するための被封入用紙形成部とを備えて構成されているため、封筒形成部から被封入用紙形成部を切り離すことにより、封筒形成部であった部分によって封筒が形成されるとともに、被封入用紙形成部であった部分から封筒に封入されるべき被封入用紙を得ることができる。
【００７７】
このように、封筒用紙は、封筒になる部分（すなわち封筒形成部）と被封入用紙になる部分（すなわち被封入用紙形成部）とが一体的に形成されているため、封筒用紙の段階で封筒形成部に宛名書き等を行うとともに、被封入用紙形成部の被封入用紙の部分に所定の内容を記載することにより、宛名書き等と、被封入用紙の記載内容とが確実に対応した状態とすることができる。
【００７８】
従って、封筒形成部から被封入用紙形成部を分離した時点で、被封入用紙を封筒内に封入することにより、封入された被封入用紙の記載内容と封筒の宛名書き等とを確実に一致させることができるため、従来の封筒と被封入用紙とを別々に用意し、被封入用紙の記載内容と封筒の宛名書き等との対応を一々チェックしながら被封入用紙を封筒に封入していく場合に比較し、チェックが不要な分作業効率が向上するとともに、被封入用紙の記載内容と、封筒の宛名書き等とが一致しない、いわゆる入れ誤りを確実に防止することができる。
【図面の簡単な説明】
【図１】本発明に係る封筒用紙の一実施形態を示す分解斜視図である。
【図２】図１に示す封筒用紙の組立て斜視図である。
【図３】本発明の作用を説明するための説明図であり、（イ）は、宛先等記載部および便箋部に所定の印字が施された状態、（ロ）は、封筒形成部が第１切断線から切断された状態、（ハ）は、便箋形成部から剥された便箋が二つ折りにされた状態をそれぞれ示している。
【図４】本発明の作用を説明するための説明図であり、（イ）は、形成された封筒に開口部を介して便箋が挿入されつつある状態、（ロ）は、便箋の挿入された封筒の開口部が封止舌片により封止された状態をそれぞれ示している。
【図５】従来の封筒を例示する斜視図であり、（イ）は、便箋が封筒内に封入される前の状態、（ロ）は、便箋が封筒内に封入された状態をそれぞれ示している。
【符号の説明】
１０  封筒用紙              １１  第１切断線
１２  第２切断線            １３  第３切断線
２０  台紙（第１紙）        ２１  台紙側封筒形成部
２２  台紙側付属部          ２３  台紙側便箋形成部
２４  台紙側余白部          ２５，２７，２８  強粘着剤層
２６  弱粘着剤層            ３０  被覆紙（第２紙）
３１  被覆紙側封筒形成部    ３１ａ  宛先等記載部
３１ｂ  宛先等非記載部      ３２  剥離紙側付属部
３３  被覆紙側便箋形成部    ３３ａ  切断線
３４  被覆紙側余白部        ３５  切取片
３５ａ  切取線              ３５ｂ  摘み部
３６  額縁部                ３７  便箋部
３７ａ  摘み部              ４０  封筒形成部
４１  封止舌片              ４２  開口部
４３  周縁糊付け部          ５０  付属部
６０  便箋形成部（封入用紙形成部）
７０  余白部                ８０  封筒
９０  便箋（被封入用紙）
【図１】
2004155489.tif 000003
【図２】
2004155489.tif 000004
【図３】
2004155489.tif 000005
【図４】
2004155489.tif 000006
【図５】
2004155489.tif 000007